(57)【特許請求の範囲】
【請求項１】
第１の発光素子と、
第２の発光素子と、
前記第１の発光素子を発光させるための電力を生成する第１の回路素子と、
前記第２の発光素子を発光させるための電力を生成する第２の回路素子と、
前記第１の発光素子が配置された光源基板と、
前記第２の発光素子、前記第１の回路素子及び前記第２の回路素子が配置された電源基板と、
前記光源基板を支持する第１の支持部及び前記電源基板を支持する第２の支持部を有する器具本体と、
前記第１の発光素子が発する光及び前記第２の発光素子が発する光を透過するカバーと、
前記第１の発光素子を発光させるための電力を前記電源基板から前記第１の発光素子に供給するためのリード線とを備え、
前記器具本体の前記第１の支持部には、第１の開口部が形成され、
前記光源基板には、第２の開口部が形成され、
前記電源基板、前記光源基板及び前記カバーは、この順で配置され、
前記電源基板を平面視した場合、前記第２の発光素子は、前記第１の開口部及び前記第２の開口部と重なる位置に配置されており、
前記リード線は、前記第１の開口部及び前記第２の開口部を通って、前記光源基板と前記電源基板とに接続されている
照明器具。
【請求項２】
前記第２の発光素子は、常夜灯用の発光素子である
請求項１に記載の照明器具。
【請求項３】
前記光源基板は、複数であり、
複数の前記光源基板は、互いに隣接して配置されており、
前記光源基板を平面視した場合に、隣接する２つの前記光源基板の各々の前記第２の開口部は、いずれも前記第１の開口部と重なる位置に形成されている
請求項１又は２に記載の照明器具。
【請求項４】
さらに、透光性を有する光源カバーを備え、
前記光源カバーは、前記第１の発光素子と前記カバーとの間に位置する第１の透光部と、前記第２の発光素子と前記カバーとの間に位置する第２の透光部とを有する
請求項１〜３のいずれか１項に記載の照明器具。
【請求項５】
さらに、前記電源基板に配置されたリモコン用受光素子を備え、
前記電源基板を平面視した場合、前記リモコン用受光素子は、前記第１の開口部及び前記第２の開口部と重なる位置に配置されている
請求項１〜４のいずれか１項に記載の照明器具。
【請求項６】
前記器具本体は、前記第１の支持部を有する第１の器具本体と、前記第２の支持部を有する第２の器具本体とによって構成されている
請求項１〜５のいずれか１項に記載の照明器具。
【発明の詳細な説明】
【技術分野】
【０００１】
本発明は、本発明は、ＬＥＤ（Ｌｉｇｈｔ  Ｅｍｉｔｔｉｎｇ  Ｄｉｏｄｅ）等の発光素子を有する照明器具に関する。
【背景技術】
【０００２】
照明器具の一つとして、シーリングライトが知られている（例えば、特許文献１参照）。シーリングライトは、例えば、器具本体と、器具本体に支持された発光モジュールと、発光モジュールを発光させるための電力を生成する電源ユニットと、発光モジュールからの光を透過するカバーとを備える。発光モジュールは、光源基板と、光源基板に実装された複数の発光素子とを有する。また、電源ユニットは、電源基板と、電源基板に実装された複数の回路素子とを有する。
【先行技術文献】
【特許文献】
【０００３】
【特許文献１】特開２０１３−４８１６７号公報
【発明の概要】
【発明が解決しようとする課題】
【０００４】
シーリングライトには、ベース照明となる主照明用の発光素子（第１の発光素子）の他に、常夜灯等の補助照明用の発光素子（第２の発光素子）を有するタイプのものがある。補助照明用の発光素子は、例えば、主照明用の発光素子とともに光源基板に配置される。
【０００５】
しかしながら、補助照明用の発光素子と主照明用の発光素子とは電源回路が別であるので、補助照明用の発光素子と主照明用の発光素子とを同一の光源基板に配置すると、電源基板から光源基板への配線の引き回しが複雑になる。
【０００６】
本発明は、このような課題を解決するためになされたものであり、第１の発光素子及び第２の発光素子を有する場合であっても、簡単な配線構造で第１の発光素子及び第２の発光素子に給電して所望の発光を得ることができる照明器具を提供することを目的とする。
【課題を解決するための手段】
【０００７】
上記目的を達成するために、本発明に係る照明器具の一態様は、第１の発光素子と、第２の発光素子と、前記第１の発光素子を発光させるための電力を生成する第１の回路素子と、前記第２の発光素子を発光させるための電力を生成する第２の回路素子と、前記第１の発光素子が配置された光源基板と、前記第２の発光素子、前記第１の回路素子及び前記第２の回路素子が配置された電源基板と、前記光源基板を支持する第１の支持部及び前記電源基板を支持する第２の支持部を有する器具本体と、前記第１の発光素子が発する光及び前記第２の発光素子が発する光を透過するカバーとを備え、前記器具本体の前記第１の支持部には、第１の開口部が形成され、前記光源基板には、第２の開口部が形成され、前記電源基板、前記光源基板及び前記カバーは、この順で配置され、前記電源基板を平面視した場合、前記第２の発光素子は、前記第１の開口部及び前記第２の開口部と重なる位置に配置されている。
【発明の効果】
【０００８】
本発明によれば、第１の発光素子及び第２の発光素子を有する場合であっても、簡単な配線構造で第１の発光素子及び第２の発光素子に給電して所望の発光を得ることができる。
【図面の簡単な説明】
【０００９】
【図１】実施の形態に係る照明器具の床面側の外観を示す斜視図である。
【図２】実施の形態に係る照明器具の天井側の外観を示す斜視図である。
【図３】カバーを取り外した状態での、実施の形態に係る照明器具の分解斜視図である。
【図４】実施の形態に係る照明器具の分解斜視図である。
【図５】図１のＶ−Ｖ線における実施の形態に係る照明器具の断面図である。
【図６】実施の形態に係る照明器具における、器具本体、発光モジュール、電源ユニット及び光源カバーの分解斜視図である。
【図７】図５の破線で囲まれる領域ＶＩＩの拡大断面図である。
【図８】カバー、化粧カバー、導光板及び反射部材を省略した状態での、実施の形態に係る照明器具の平面図である。
【図９】図８からさらに光源カバーを省略した状態での、実施の形態に係る照明器具の平面図である。
【図１０】図９の破線で囲まれる領域Ｘの拡大平面図である。
【発明を実施するための形態】
【００１０】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
各図は模式図であり、必ずしも厳密に図示されたものではない。したがって、各図において縮尺等は必ずしも一致していない。各図において、実質的に同一の構成に対しては同一の符号を付しており、重複する説明は省略又は簡略化する。
【００１２】
また、本明細書及び図面において、Ｘ軸、Ｙ軸及びＺ軸は、三次元直交座標系の三軸を表しており、本実施の形態では、Ｚ軸方向を鉛直方向とし、Ｚ軸に垂直な方向（ＸＹ平面に平行な方向）を水平方向としている。Ｘ軸及びＹ軸は、互いに直交し、且つ、いずれもＺ軸に直交する軸である。なお、Ｚ軸方向のプラス方向を鉛直下方としている。
【００１３】
（実施の形態）
以下、実施の形態に係る照明器具について説明する。
【００１４】
［１．照明器具の構成］
［１−１．照明器具の全体構成］
まず、実施の形態に係る照明器具１の全体構成について、図１〜図５を用いて説明する。図１は、実施の形態に係る照明器具１の床面側の外観を示す斜視図である。図２は、同照明器具１の天井２側の外観を示す斜視図である。図３は、カバー４０を取り外した状態での同照明器具１の分解斜視図である。図４は、同照明器具１の分解斜視図である。図５は、図１のＶ−Ｖ線における同照明器具１の断面図である。
【００１５】
図１〜図５に示される照明器具１は、例えば、住宅等の建物の造営材に設置される。一例として、照明器具１は、図５に示すように、建物の天井２（造営材の一例）に設置されるシーリングライトであり、建物の内部の空間を照明する。具体的には、照明器具１は、天井２に設けられた引っ掛けシーリングボディ３に取り付けられることによって天井２に設置される。
【００１６】
図１〜図５に示すように、照明器具１は、器具本体１０、発光モジュール２０、電源ユニット３０、カバー４０、光源カバー５０、器具取付部材６０、化粧カバー７０、導光板８０、及び、反射部材９０を備える。
【００１７】
図４及び図５に示すように、電源ユニット３０、発光モジュール２０、光源カバー５０及びカバー４０は、天井２（図４参照）から床面に向かって、この順で配置されている。つまり、電源基板３１、光源基板２１、光源カバー５０及びカバー４０は、この順で配置されている。
【００１８】
以下、図１〜図５を参照しながら、さらに図６〜図１０を用いて、照明器具１の各構成部品について詳細に説明する。図６は、実施の形態に係る照明器具１における、器具本体１０、発光モジュール２０、電源ユニット３０及び光源カバー５０の分解斜視図である。図７は、図５の破線で囲まれる領域ＶＩＩの拡大断面図である。図８は、カバー４０、化粧カバー７０、導光板８０及び反射部材９０を省略した状態での同照明器具１の平面図である。図９は、図８からさらに光源カバー５０を省略した状態での同照明器具１の平面図である。図１０は、図９の破線で囲まれる領域Ｘの拡大平面図である。
【００１９】
なお、図１〜図１０において、Ｚ軸のマイナス側が天井２側、Ｚ軸のプラス側が床面（図示せず）側を表している。また、説明の都合上、図１及び図３〜図７では、照明器具１を通常の使用時の姿勢とは上下逆の姿勢で図示している。
【００２０】
［１−２．器具本体］
器具本体１０は、発光モジュール２０及び電源ユニット３０を支持するための筐体である。図５に示すように、本実施の形態において、器具本体１０は、さらに、光源カバー５０、化粧カバー７０、導光板８０及び反射部材９０を支持している。
【００２１】
図６及び図７に示すように、器具本体１０は、発光モジュール２０の光源基板２１を支持する第１の支持部１１ａ及び電源ユニット３０の電源基板３１を支持する第２の支持部１２ａを有する。具体的に、器具本体１０は、第１の支持部１１ａを有する第１の器具本体１１と、第２の支持部１２ａを有する第２の器具本体１２とによって構成されている。
【００２２】
第１の器具本体１１は、発光モジュール２０を支持する。第１の器具本体１１の第１の支持部１１ａは、発光モジュール２０を載置するための載置部であり、床面側に向けて突出するように形成されている。つまり、第１の支持部１１ａの床面側の面は、発光モジュール２０の光源基板２１が載置される基板載置面として機能する。
【００２３】
また、第１の器具本体１１は、発光モジュール２０からの光を反射するための反射カバーとしても機能する。さらに、第１の器具本体１１は、発光モジュール２０からの熱を放熱するためのヒートシンクとしても機能する。
【００２４】
図６及び図７に示すように、第１の器具本体１１の第１の支持部１１ａには、第１の開口部１１ｂ（器具本体開口部）が形成されている。第１の開口部１１ｂは、例えば、貫通孔である。
【００２５】
また、図６に示すように、第１の器具本体１１の第１の支持部１１ａの中央部には、略矩形状の貫通孔１１ｃが形成されている。第１の器具本体１１の第１の支持部１１ａの外周部には、フランジ部１１ｄが形成されている。
【００２６】
第１の器具本体１１は、金属製であり、例えばアルミニウム板又は鋼板等の板金をプレス加工することによって所定の形状に成形される。第１の器具本体１１の一方側の面（床面側の面）には、反射性を高めて光取り出し効率を向上させるために、白色塗料が塗布、又は、反射性金属材料が蒸着されていてもよい。
【００２７】
第１の器具本体１１は、第２の器具本体１２一方側の面を覆うように配置されている。第１の器具本体１１のフランジ部１１ｄは、第２の器具本体１２のフランジ部１２ｃに複数のネジで取り付けられる。また、図７に示すように、第１の器具本体１１の貫通孔１１ｃの周縁部は、電源ユニット３０の絶縁ケース１３の筒状部１３ａの先端部で支持されている。
【００２８】
第２の器具本体１２は、電源ユニット３０を支持する。第２の器具本体１２の第２の支持部１２ａは、電源ユニット３０を配置するための配置部である。つまり、図７に示すように、第２の支持部１２ａの床面側の面は、電源ユニット３０の電源基板３１が配置される基板配置面として機能する。なお、本実施の形態において、電源基板３１は、絶縁ケース１３を介して第２の支持部１２ａに配置されている。
【００２９】
第２の器具本体１２は、照明器具１の外郭部材を構成している。したがって、第２の器具本体１２の外面は、外気に曝されており、放熱面として機能する。
【００３０】
図６に示すように、第２の器具本体１２の第２の支持部１２ａの中央部には、円形状の貫通孔１２ｂが形成されている。第２の器具本体１２の第２の支持部１２ａの外周部には、第１の器具本体１１を支持するためのフランジ部１２ｃが形成されている。
【００３１】
第２の器具本体１２は、金属製であり、例えばアルミニウム板又は鋼板等の板金をプレス加工することによって所定の形状に成形される。
【００３２】
図５に示すように、第２の器具本体１２の貫通孔１２ｂの周縁部には、第２の器具本体１２を器具取付部材６０に装着するためのホルダ１４が固定されている。ホルダ１４の内部には器具取付部材６０が着脱自在に嵌合される。
【００３３】
さらに、図５〜図７に示すように、第２の器具本体１２の一方側の面（床面側の面）には、絶縁ケース１３が固定されている。絶縁ケース１３は、略矩形状の筒状に形成された筒状部１３ａと電源ユニット３０を支持する支持板１３ｂとを有する。筒状部１３ａは、ホルダ１４を囲むように形成されている。支持板１３ｂには、電源ユニット３０の電源基板３１が載置される。絶縁ケース１３は、例えば絶縁性樹脂材料で形成されている。
【００３４】
さらに、図２及び図５に示すように、第２の器具本体１２の他方側の面（天井２側の面）には、例えばウレタン等で形成されたクッション部材１５が複数取り付けられている。複数のクッション部材１５は、第２の器具本体１２の周方向に沿って等間隔で配置されている。後述するように、照明器具１が天井２に設置された際に、複数のクッション部材１５が器具本体１０（第２の器具本体１２）と天井２との間に挟み込まれることにより、照明器具１のぐらつきが抑制される。
【００３５】
［１−３．発光モジュール］
発光モジュール２０は、照明器具１の光源部となる光源モジュールであり、例えば白色光を発する。発光モジュール２０は、器具本体１０の第１の器具本体１１に支持されている。
【００３６】
図６に示すように、発光モジュール２０は、光源基板２１と、光源基板２１に配置された複数の主照明用発光素子２２とを有する。
【００３７】
光源基板２１は、主照明用発光素子２２を実装するための実装基板である。光源基板２１は、例えば、金属配線が形成されたプリント配線基板であり、光源基板２１の一方の面には、金属配線が所定形状でパターン形成されている。図７に示すように、光源基板２１は、主照明用発光素子２２が床面側を向くようにして、第１の器具本体１１の第１の支持部１１ａに載置されている。
【００３８】
図６及び図９に示すように、本実施の形態において、光源基板２１は、複数である。複数の光源基板２１は、ドーナツ状（リング状）となるように、互いに隣接して配置されている。ドーナツ状に配置された複数の光源基板２１は、導光板８０の周方向に沿って並んで配置される。具体的には、３つの光源基板２１を用いて、全体としてドーナツ状となるように配置されている。本実施の形態において、各光源基板２１の平面視形状は、一定の幅のドーナツ形状を周方向に３等分した形状となっている。図６及び図８に示すように、複数の光源基板２１の各々は、第１の器具本体１１の貫通孔１１ｃを囲むようにして、第１の器具本体１１の一方側の面にネジで取り付けられている。
【００３９】
各光源基板２１は、例えば、絶縁性樹脂材料からなる樹脂基板、表面が樹脂被膜された金属材料からなるメタルベース基板、セラミック材料の焼結体であるセラミック基板、又は、ガラス材料からなるガラス基板等である。光源基板２１は、リジッド基板に限るものではなく、フレキシブル基板であってもよい。また、光源基板２１の表面には、金属配線を覆うように絶縁被膜としてレジスト膜が形成されていてもよい。
【００４０】
図６、図７及び図１０に示すように、光源基板２１には、第２の開口部２１ａ（基板開口部）が形成されている。本実施の形態において、第２の開口部２１ａは、光源基板２１の端部を切り欠いたような形状の切り欠き部であり、光源基板２１の周方向における両端部の各々に形成されている。
【００４１】
図１０に示すように、光源基板２１を平面視した場合に、隣接する２つの光源基板２１の各々の第２の開口部２１ａは、いずれも器具本体１０の第１の開口部１１ｂと重なる位置に形成されている。具体的には、器具本体１０の第１の開口部１１ｂは、周方向に隣り合う２つの光源基板２１の第２の開口部２１ａによって囲まれている。
【００４２】
本実施の形態において、第２の開口部２１ａの形状は、第１の開口部１１ｂの形状に合わせて形成されている。具体的には、第２の開口部２１ａは、第２の開口部２１ａの切り欠き部分のエッジが第１の開口部１１ｂのエッジに沿うように形成されている。
【００４３】
なお、図９に示すように、本実施の形態において、第２の開口部２１ａは、全ての光源基板２１に形成されており、第１の開口部１１ｂが形成されていない箇所にも形成されているが、第２の開口部２１ａは、第１の開口部１１ｂが形成されている箇所のみに形成されていてもよい。ただし、本実施の形態のように、全ての光源基板２１に同じ形状の第２の開口部２１ａを形成することで、光源基板２１の共用化を図ることができる。また、第２の開口部２１ａの形状は、光源基板２１の端部を切り欠いたような形状に限るものではなく、貫通孔であってもよい。この場合、１つの第２の開口部２１ａが１つの第１の開口部１１ｂに対応するように形成するとよい。
【００４４】
図９に示すように、光源基板２１には、複数の主照明用発光素子２２が実装されている。主照明用発光素子２２は、照明器具１によって空間を明るくするためのベース照明となる照明光を発する。
【００４５】
本実施の形態において、主照明用発光素子２２は、第１の主照明用発光素子２２ａ（第１の発光素子）と第２の主照明用発光素子２２ｂとを含む。第１の主照明用発光素子２２ａ及び第２の主照明用発光素子２２ｂは、光源基板２１の一方の面（床面側の面）にそれぞれ複数実装されている。
【００４６】
複数の第１の主照明用発光素子２２ａは、光源基板２１の内周部に実装されている。具体的には、複数の第１の主照明用発光素子２２ａは、光源基板２１の内周部において、光源基板２１の径方向に例えば３列配置されている。各列において、複数の第１の主照明用発光素子２２ａは、光源基板２１の周方向に間隔を置いて配置されている。これにより、発光モジュール２０全体としては、複数の第１の主照明用発光素子２２ａは、ドーナツ状（リング状）に実装される。つまり、光源基板２１における複数の第１の主照明用発光素子２２ａが実装される領域は、ドーナツ状である。第１の主照明用発光素子２２ａから出射する光は、光源カバー５０及びカバー４０を透過して照明器具１の外部に出射する。
【００４７】
複数の第２の主照明用発光素子２２ｂは、光源基板２１の外周部に実装されている。具体的には、複数の第２の主照明用発光素子２２ｂは、光源基板２１の外周部において、光源基板２１の周方向に間隔を置いて例えば１列のみ配置されている。これにより、発光モジュール２０全体としては、複数の第２の主照明用発光素子２２ｂは、リング状に配置される。第２の主照明用発光素子２２ｂは、導光板８０のリング状の入射部８３に対応するように配列されており、第２の主照明用発光素子２２ｂから出射する光は、導光板８０を導光して照明器具１の外部に出射する。
【００４８】
第１の主照明用発光素子２２ａ及び第２の主照明用発光素子２２ｂの各々は、例えば、パッケージ化された表面実装（ＳＭＤ：Ｓｕｒｆａｃｅ  Ｍｏｕｎｔ  Ｄｅｖｉｃｅ）型のＬＥＤ素子である。一例として、第１の主照明用発光素子２２ａ及び第２の主照明用発光素子２２ｂの各々は、凹部を有する白色樹脂製のパッケージ（容器）と、パッケージの凹部の底面に一次実装されたＬＥＤチップ（ベアチップ）と、パッケージの凹部内に封入された封止部材とを有している。封止部材は、例えばシリコーン樹脂等の透光性樹脂材料で構成されている。封止部材は、蛍光体等の波長変換材が含有された蛍光体含有樹脂であってもよい。
【００４９】
ＬＥＤチップは、所定の直流電力により発光する半導体発光素子の一例であって、単色の可視光を発するベアチップである。ＬＥＤチップは、例えば、通電されれば青色光を発する青色ＬＥＤチップである。この場合、白色光を得るために、封止部材には、青色ＬＥＤチップからの青色光を励起光として蛍光発光するＹＡＧ（イットリウム・アルミニウム・ガーネット）等の黄色蛍光体が含有される。
【００５０】
このように、第１の主照明用発光素子２２ａ及び第２の主照明用発光素子２２ｂの各々は、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして第１の主照明用発光素子２２ａ及び第２の主照明用発光素子２２ｂの各々から白色光が出射される。
【００５１】
なお、本実施の形態では、第１の主照明用発光素子２２ａ及び第２の主照明用発光素子２２ｂは、いずれも同じ光色の光を発するようにしたが、互いに異なる光色の光を発するようにしてもよい。例えば、第１の主照明用発光素子２２ａが昼白色の光を発し、第２の主照明用発光素子２２ｂが電球色の光を発するようにしてもよい。
【００５２】
また、第１の主照明用発光素子２２ａと第２の主照明用発光素子２２ｂとは、同時に発光してもよいし、第１の主照明用発光素子２２ａ及び第２の主照明用発光素子２２ｂの一方が発光してもよい。複数の第１の主照明用発光素子２２ａ及び複数の第２の主照明用発光素子２２ｂの各々における接続の態様（直列接続、並列接続、及び、直列接続と並列接続との組み合わせの接続等）は、特に限定されるものではない。
【００５３】
図９に示すように、各光源基板２１の周方向における両端部の各々には、一対のコネクタ２３が設けられている。このうち、２つの光源基板２１については、一対のコネクタ２３のうちの一方と電源ユニット３０の電源基板３１の出力端子とがリード線２４（第１のリード線）によって接続されている。リード線２４は、主照明用発光素子２２（第１の主照明用発光素子２２ａ、第２の主照明用発光素子２２ｂ）を発光させるための電力を、電源ユニット３０から主照明用発光素子２２に供給するための電力供給線である。
【００５４】
つまり、図７に示すように、リード線２４の一方の端部は、光源基板２１に接続されており、リード線２４の他方の端部は、電源基板３１に接続されている。リード線２４は、器具本体１０の第１の開口部１１ｂ及び光源基板２１の第２の開口部２１ａを通って、光源基板２１と電源基板３１とに接続されている。
【００５５】
また、図９に示すように、隣り合う２つの光源基板２１の対向する一対のコネクタ２３同士を接続するリード線２５（第２のリード線）が設けられている。つまり、リード線２５は、隣り合う２つの光源基板２１同士を電気的に接続するコネクタ線であり、隣り合う２つの光源基板２１は、リード線２５によって電気的に接続されている。
【００５６】
［１−４．電源ユニット］
電源ユニット３０は、発光モジュール２０（主照明用発光素子２２）及び補助照明用発光素子３３を発光させるための電力を生成するための電源装置である。
【００５７】
図６及び図７に示すように、電源ユニット３０は、電源基板３１と、電源基板３１に配置された回路素子３２とを有する。電源基板３１には、さらに、補助照明用発光素子３３（第２の発光素子）及びリモコン用受光素子３４が配置されている。
【００５８】
電源基板３１は、回路素子３２及び補助照明用発光素子３３を実装するための実装基板である。電源基板３１は、金属配線が形成されたプリント配線基板であり、例えば電源基板３１の一方の面には、金属配線が所定形状のパターンで形成されている。本実施の形態において、電源基板３１は、樹脂基板であり、略Ｌ字状に形成されている。
【００５９】
電源基板３１は、光源基板２１よりも天井２側に位置している。電源基板３１と光源基板２１との間の間隔は、例えば、３０ｍｍ程度である。つまり、第１の器具本体１１の第１の支持部１１ａの床面側の面と第２の器具本体１２の第２の支持部１２ａの床面側の面との間の間隔は３０ｍｍ程度である。
【００６０】
電源基板３１には、複数の回路素子３２が実装されている。電源基板３１は、複数の回路素子３２が床面側を向くようにして、第２の器具本体１２の第２の支持部１２ａに載置されている。本実施の形態では、電源基板３１は、第２の支持部１２ａに載置された絶縁ケース１３に載置されている。
【００６１】
回路素子３２は、主照明用発光素子２２に対応する主照明用回路素子３２ａ（第１の回路素子）と、補助照明用発光素子３３に対応する補助照明用回路素子３２ｂ（第２の回路素子）とを含む。つまり、電源基板３１には、補助照明用発光素子３３、主照明用回路素子３２ａ及び補助照明用回路素子３２ｂが配置されている。
【００６２】
主照明用回路素子３２ａは、主照明用発光素子２２（第１の主照明用発光素子２２ａ、第２の主照明用発光素子２２ｂ）を発光させるための電力を生成するための電源回路を構成する回路部品である。
【００６３】
補助照明用回路素子３２ｂは、補助照明用発光素子３３を発光させるための電力を生成するための電源回路を構成する回路部品である。
【００６４】
電源回路を構成する複数の主照明用回路素子３２ａ及び複数の補助照明用回路素子３２ｂの各々は、商用電源から引っ掛けシーリングボディ３及び器具取付部材６０を介して供給される交流電力を直流電力に変換する。複数の主照明用回路素子３２ａで生成された直流電力が複数の主照明用発光素子２２（第１の主照明用発光素子２２ａ、第２の主照明用発光素子２２ｂ）の各々に供給されることにより、複数の主照明用発光素子２２の各々が発光する。同様に、複数の補助照明用回路素子３２ｂで生成された直流電力が複数の補助照明用発光素子３３の各々に供給されることにより、複数の補助照明用発光素子３３の各々が発光する。
【００６５】
電源回路を構成する複数の回路素子３２（主照明用回路素子３２ａ、補助照明用回路素子３２ｂ）は、例えば、電解コンデンサ又はセラミックコンデンサ等の容量素子、抵抗器等の抵抗素子、整流回路素子、コイル素子、チョークコイル（チョークトランス）、ノイズフィルタ、ダイオード又は集積回路素子等の半導体素子等である。
【００６６】
なお、回路素子３２には、主照明用回路素子３２ａ及び補助照明用回路素子３２ｂ以外に、リモコン用受光素子３４で受けた光信号に基づいて主照明用発光素子２２（第１の主照明用発光素子２２ａ、第２の主照明用発光素子２２ｂ）及び補助照明用発光素子３３の発光状態を制御するための制御回路を構成する制御用回路素子（マイクロコンピュータ等）等も含まれていてもよい。また、回路素子３２には、調光回路又は昇圧回路等を構成する回路部品が含まれていてもよいし、無線通信回路を構成する回路部品（通信モジュール）等が含まれていてもよい。さらに、電源基板３１には、器具取付部材６０から延びるリード線（図示せず）が電気的に接続されるコネクタ端子（図示せず）が設けられていてもよい。
【００６７】
なお、複数の回路素子３２は、補助照明用発光素子３３から出射する光を遮光しない位置に配置するとよい。
【００６８】
図７及び図１０に示すように、補助照明用発光素子３３（第２の発光素子）は、主照明用発光素子２２を補助するための発光素子である。本実施の形態において、補助照明用発光素子３３は、常夜灯用の発光素子であり、電源基板３１に２つ実装されている。具体的には、補助照明用発光素子３３は、アンバー色等の低色温度（例えば１７００Ｋ）の砲弾型のＬＥＤ光源である。なお、補助照明用発光素子３３の発光色は、これに限るものではない。また、補助照明用発光素子３３は、２つに限らず、１つであってもよいし、３つ以上であってもよい。また、補助照明用発光素子３３は、砲弾型に限らず、表面実装型の発光素子であってもよい。
【００６９】
補助照明用発光素子３３は、器具本体１０の第１の開口部１１ｂ及び光源基板２１の第２の開口部２１ａと対応する位置に配置されている。具体的には、図１０に示すように、電源基板３１を平面視した場合、補助照明用発光素子３３は、器具本体１０の第１の開口部１１ｂ及び光源基板２１の第２の開口部２１ａと重なる位置に配置されている。つまり、Ｚ軸方向から光源基板２１を見た場合に、第１の開口部１１ｂ及び光源基板２１の第２の開口部２１ａを介して補助照明用発光素子３３を視認することができる。
【００７０】
図１０に示されるリモコン用受光素子３４は、照明器具１の点灯及び消灯等の発光状態を制御するためのリモコンからの光信号（例えば赤外線）を受光する。これにより、ユーザは、リモコンを操作することで、照明器具１の発光状態（点消灯、調光等）を制御することができる。
【００７１】
リモコン用受光素子３４も、補助照明用発光素子３３と同様に、器具本体１０の第１の開口部１１ｂ及び光源基板２１の第２の開口部２１ａと対応する位置に配置されている。具体的には、電源基板３１を平面視した場合、リモコン用受光素子３４は、器具本体１０の第１の開口部１１ｂ及び光源基板２１の第２の開口部２１ａと重なる位置に配置されている。つまり、Ｚ軸方向から光源基板２１を見た場合に、第１の開口部１１ｂ及び光源基板２１の第２の開口部２１ａを介してリモコン用受光素子３４を視認することができる。
【００７２】
図６、図７及び図１０に示すように、本実施の形態において、第１の開口部１１ｂ及び第２の開口部２１ａには、絶縁樹脂材料等によって構成された枠体部材１００が嵌め込まれている。第１の開口部１１ｂ及び第２の開口部２１ａに枠体部材１００を嵌め込むことで、第１の開口部１１ｂ及び第２の開口部２１ａの開口エッジを保護することができる。これにより、第１の開口部１１ｂ及び第２の開口部２１ａに挿通させるリード線２４が断線することを抑制できる。また、絶縁性の枠体部材１００を第１の開口部１１ｂ及び第２の開口部２１ａに嵌め込むことで、器具本体１０及び発光モジュール２０における絶縁保護を向上させることができる。
【００７３】
なお、枠体部材１００の内部には、補助照明用発光素子３３及びリモコン用受光素子３４の光の入出力用の孔とリード線２４を挿通させるための孔とを分離するために、仕切り部１１０が形成されている。つまり、枠体部材１００は、板状の仕切り部１１０を介して２つの孔が形成されている。
【００７４】
［１−５．カバー］
カバー（グローブ）４０は、透光性を有する透光カバーである。図５に示すように、本実施の形態において、カバー４０は、照明器具１の外郭を構成する外郭カバーである。カバー４０は、器具本体１０、発光モジュール２０及び光源カバー５０を覆っている。
【００７５】
カバー４０は、主照明用発光素子２２（第１の主照明用発光素子２２ａ）が発する光及び補助照明用発光素子３３が発する光を透過する。具体的には、カバー４０は、第１の主照明用発光素子２２ａから出射して光源カバー５０を透過した光を透過させるとともに、補助照明用発光素子３３から出射して光源カバー５０を透過した光を透過させる。
【００７６】
カバー４０は、透光性を有する樹脂材料を用いて形成することができる。カバー４０の材質は、例えばアクリル（ＰＭＭＡ）、ポリカーボネート（ＰＣ）、ポリエチレンテレフタレート（ＰＥＴ）又はポリ塩化ビニル等である。
【００７７】
さらに、カバー４０は、光拡散性を有する拡散カバーである。カバー４０に光拡散性を持たせることによって、カバー４０に入射する光源カバー５０からの光を拡散（散乱）させることができ、カバー４０の全体から均一に光を外部に取り出すことができる。
【００７８】
この場合、例えば、カバー４０は乳白色とすることでカバー４０に光拡散性を持たせることができる。具体的には、光拡散粒子を分散させた樹脂材料によってカバー４０を構成することによってカバー４０に光拡散性を持たせることができる。あるいは、カバー４０の内面又は外面に乳白色の光拡散膜を形成することによってカバー４０に光拡散性を持たせてもよいし、透明なカバー４０の表面に複数の光拡散ドット又は複数の微小凹凸（シボ）を形成することによって光拡散性を持たせてもよい。その他に、乳白色のカバー４０に対してさらに複数の光拡散ドット又は複数の微小凹凸を形成することによって光拡散性を持たせてもよい。
【００７９】
カバー４０は、反射部材９０に着脱自在に取り付けられ、導光板８０の開口部８１を覆うように配置されている。図３に示すように、カバー４０を反射部材９０から取り外すことにより、光源カバー５０が導光板８０の開口部８１から露出される。図５及び図７に示すように、カバー４０は、透光部（拡散部）４１及び取付部４２を有している。
【００８０】
透光部４１は、円板状に形成されており、図４に示すように、導光板８０の開口部８１を覆うように配置されている。なお、少なくとも透光部４１が透光性を有する材料で形成されていればよい。
【００８１】
図４及び図５に示すように、取付部４２は、透光部４１の外周部の全周から透光部４１の軸方向（Ｚ軸方向）にラッパ状に延びている。取付部４２は、反射部材９０の反射部９１の凸面側に着脱自在に取り付けられている。
【００８２】
なお、透光部４１の外周部はテーパ状に形成されている。これにより、透光部４１に厚み（Ｚ軸方向の大きさ）が生じるので、ユーザは、カバー４０を着脱する際に透光部４１を手で容易に掴むことができる。
【００８３】
［１−６．光源カバー］
光源カバー５０は、透光性を有する透光カバーである。図５に示すように、光源カバー５０は、カバー４０の内側に配置されている。また、図８及び図９に示すように、光源カバー５０は、光源基板２１に配置された第１の主照明用発光素子２２ａ及び電源基板３１に配置された補助照明用発光素子３３を覆う。なお、光源カバー５０は、第２の主照明用発光素子２２ｂを覆っていない。
【００８４】
光源カバー５０は、第１の主照明用発光素子２２ａとカバー４０との間に位置する第１の透光部５１と、補助照明用発光素子３３とカバー４０との間に位置する第２の透光部５２とを有する。
【００８５】
第１の透光部５１は、第１の主照明用発光素子２２ａから出射した光を透過させる。第１の透光部５１は、第１の主照明用発光素子２２ａに対応して光源カバー５０の全体にわたって形成されている。
【００８６】
本実施の形態において、第１の透光部５１は、第１の主照明用発光素子２２ａから出射する光の配光を制御する配光制御機能を有する。具体的には、第１の透光部５１は、複数の第１の主照明用発光素子２２ａの各々について、第１の主照明用発光素子２２ａから出射する光の配光角を拡大するためのレンズ部５１ａを有する。第１の透光部５１のレンズ部５１ａは、複数の第１の主照明用発光素子２２ａと一対一で形成されている。このように、光源カバー５０は、レンズ機能を有するレンズカバーである。
【００８７】
一方、第２の透光部５２は、補助照明用発光素子３３から出射した光を透過させる。したがって、第２の透光部５２は、器具本体１０の第１の開口部１１ｂ及び光源基板２１の第２の開口部２１ａと対応する位置に形成されている。
【００８８】
第１の主照明用発光素子２２ａのカバー部である第１の透光部５１と補助照明用発光素子３３のカバー部である第２の透光部５２とは、いずれも一定の幅のドーナツ状領域内に存在する。つまり、光源カバー５０の平面視形状は、側方に大きく突出する部分がなく、内外周形状が略同心円のドーナツ状（リング状）である。つまり、第２の透光部５２は、側方に突出しないように形成されている。
【００８９】
光源カバー５０は、複数の光源基板２１の各々の内周部を覆うようにして、第１の器具本体１１の一方側の面にネジで取り付けられている。
【００９０】
光源カバー５０は、透光性を有する樹脂材料を用いて形成することができる。光源カバー５０の材質は、例えばアクリル、ポリカーボネート、ポリエチレンテレフタレート又はポリ塩化ビニル等である。
【００９１】
なお、本実施の形態において、光源カバー５０は、透明であって、光拡散性を有していないが、光源カバー５０は、光拡散性を有していてもよい。光源カバー５０に光拡散性を持たせることで、第１の主照明用発光素子２２ａ及び補助照明用発光素子３３の光のつぶつぶ感（輝度ムラ）を抑制することができる。この場合、光源カバー５０は、例えば、乳白色であり、光拡散粒子を分散させた樹脂材料によって構成することができる。また、光源カバー５０の内面又は外面に乳白色の光拡散膜を形成したり、光源カバー５０に複数の光拡散ドット又は複数の微小凹凸を形成したりすることで、光源カバー５０に光拡散性を持たせてもよい。
【００９２】
［１−７．器具取付部材］
図４に示すように、器具取付部材６０は、天井２に設置された引っ掛けシーリングボディ３に器具本体１０を着脱自在に取り付けるためのアダプタである。器具取付部材６０は、例えば絶縁性を有する樹脂材料により形成される。
【００９３】
図４及び図５に示すように、器具取付部材６０は、略円柱状に形成され、器具本体１０のホルダ１４の内部に着脱自在に嵌合される。また、器具取付部材６０は、引っ掛けシーリングボディ３に着脱自在に取り付けられる。器具取付部材６０には、Ｌ字状の一対の金具（図示せず）が設けられている。これらの一対の金具がそれぞれ引っ掛けシーリングボディ３の一対の孔に引っ掛けられることにより、器具取付部材６０が引っ掛けシーリングボディ３に着脱自在に取り付けられる。なお、器具取付部材６０の金具は、引っ掛けシーリングボディ３と照明器具１との電気的な接続も兼ねている。
【００９４】
照明器具１を天井２に設置する際には、ユーザは、まず、器具取付部材６０を引っ掛けシーリングボディ３に取り付ける。その後、ユーザは、器具取付部材６０が器具本体１０のホルダ１４の内部に挿入されるようにして、器具本体１０を天井２側に押し上げることにより、ホルダ１４と器具取付部材６０とを嵌合させる。これにより、器具本体１０が器具取付部材６０及び引っ掛けシーリングボディ３を介して天井２に取り付けられ、照明器具１が天井２に設置される。
【００９５】
なお、引っ掛けシーリングボディ３は、天井２の裏側に配置された商用電源（図示せず）と電線（図示せず）を介して電気的に接続されている。照明器具１が天井２に設置されることにより、商用電源からの交流電力が電線及び引っ掛けシーリングボディ３を介して照明器具１の電源ユニット３０に供給される。
【００９６】
［１−８．化粧カバー］
図４及び図５に示すように、化粧カバー７０は、器具本体１０を側方から覆って化粧するためのカバーである。化粧カバー７０は、リング状に形成されている。具体的には、化粧カバー７０は、一端部（床面側の端部）から他端部（天井２側の端部）に向けてラッパ状に広がっており、器具本体１０を側方から覆うように配置されている。なお、化粧カバー７０は、例えば白色のポリスチレン樹脂等で形成されている。
【００９７】
化粧カバー７０の一端部には、化粧カバー７０の径方向内側且つ化粧カバー７０の他端部に向けて湾曲しながら延びるリング状の支持部７１が形成されている。支持部７１は、導光板８０の湾曲部８２の凹面側を支持している。
【００９８】
化粧カバー７０の内面には、化粧カバー７０の全周に亘って延びるリング状の突部７２が形成されている。突部７２は、第１の器具本体１１のフランジ部１１ｄに接触している。これにより、化粧カバー７０は、第１の器具本体１１に対して位置決めされる。
【００９９】
［１−９．導光板］
導光板８０は、複数の第２の主照明用発光素子２２ｂの各々から出射する光を照明器具１の外部に導くための光学部材である。図４に示すように、導光板８０は、略円形状の開口部８１を有するリング状に形成されている。具体的には、導光板８０は、湾曲部８２、入射部８３及び出射部８４を有している。なお、導光板８０は、透光性を有する材料（例えば透明のアクリル樹脂等）で形成されている。
【０１００】
湾曲部８２は、一端部（天井２側の端部）から他端部（床面側の端部）に向けてラッパ状に広がっている。複数の第１の主照明用発光素子２２ａ及び光源カバー５０は、開口部８１に対向する位置に配置されている。湾曲部８２は、光を一端部から他端部に向けて導く。湾曲部８２の凹面側は、化粧カバー７０の支持部７１に支持されている。湾曲部８２の凸面側は、反射部材９０の反射部９１により覆われている。すなわち、湾曲部８２は、化粧カバー７０の支持部７１と反射部材９０の反射部９１との間に挟持されている。
【０１０１】
入射部８３は、湾曲部８２の一端部の全周に亘ってリング状に形成されており、導光板８０の内周部を規定する。図７に示すように、入射部８３は、複数の第２の主照明用発光素子２２ｂに対向且つ近接する位置に配置されている。すなわち、複数の第２の主照明用発光素子２２ｂは、導光板８０の内周部に対向する位置に配置されている。
【０１０２】
図４及び図５に示すように、出射部８４は、湾曲部８２の他端部の全周から導光板８０の径方向外側にリング状に延びており、導光板８０の外周部を規定する。出射部８４は、化粧カバー７０の一端部よりも導光板８０の径方向外側に張り出しており、略水平な姿勢で（すなわち、天井２に対して略平行な姿勢で）配置されている。出射部８４の一方側の面（床面側の面）は、光が出射する面である。出射部８４の他方側の面（天井２側の面）には、例えばドット加工によりプリズム（図示せず）が形成されている。
【０１０３】
［１−１０．反射部材］
反射部材９０は、導光板８０の湾曲部８２の内部で導かれた光を反射するための部材である。
【０１０４】
反射部材９０は、リング状に形成されている。具体的には、反射部材９０は、図４及び図７に示すように、反射部９１、押さえ部９２及び仕切り部９３を有している。なお、反射部材９０は、例えばポリカーボネート樹脂等で形成されている。
【０１０５】
反射部９１は、一端部（天井２側の端部）から他端部（床面側の端部）に向けてラッパ状に広がっている。反射部９１の凹面側には反射面が形成されている。反射部９１の凹面側は、導光板８０の湾曲部８２の凸面側を覆っている。
【０１０６】
押さえ部９２は、反射部９１の一端部の全周から反射部材９０の径方向内側にリング状に延びている。押さえ部９２は、複数の光源基板２１の各々の所定の領域にネジで取り付けられている。これにより、押さえ部９２の先端部は、光源カバー５０の外周部を複数の光源基板２１に向けて押さえ付けるようになる。
【０１０７】
仕切り部９３は、押さえ部９２の全周に亘ってリング状に形成され、光源カバー５０の外周部と導光板８０の入射部８３との間を仕切るように突出している。仕切り部９３は、光源カバー５０と導光板８０との間を遮光するためのものである。そのため、反射部材９０は、遮光性を有する材料（例えば不透明の樹脂材料）で形成されている。
【０１０８】
［１−１１．照明器具の点灯時の態様］
次に、上述した照明器具１の点灯時の態様について説明する。
【０１０９】
電源ユニット３０の主照明用回路素子３２ａによって構成される電源回路からの直流電力が発光モジュール２０に供給されることにより、主照明用発光素子２２（第１の主照明用発光素子２２ａ、第２の主照明用発光素子２２ｂ）が発光する。
【０１１０】
この場合、複数の第１の主照明用発光素子２２ａの各々から出射する光は、光源カバー５０の第１の透光部５１の対応するレンズ部５１ａを透過した後、導光板８０の開口部８１を通ってカバー４０に入射する。カバー４０に入射した第１の主照明用発光素子２２ａの光は、カバー４０で拡散されながらカバー４０を透過する。このように、第１の主照明用発光素子２２ａから出射する光は、導光板８０に入射せずに照明器具１の外部に照射される。
【０１１１】
一方、複数の第２の主照明用発光素子２２ｂの各々からの光は、導光板８０の入射部８３に入射した後、湾曲部８２の内部を導光する。湾曲部８２の内部において、光は、反射部材９０の反射部９１で反射されながら入射部８３から出射部８４に向けて導かれる。出射部８４へと導かれた光は、出射部８４の他方側の面に形成されたプリズムで反射することにより、出射部８４の一方側の面（床面側の面）から出射する。
【０１１２】
また、電源ユニット３０の補助照明用回路素子３２ｂによって構成される電源回路からの直流電力が補助照明用発光素子３３に供給されることにより、補助照明用発光素子３３が発光する。
【０１１３】
この場合、補助照明用発光素子３３から出射する光は、第１の器具本体１１の第１の開口部１１ｂ及び光源基板２１の第２の開口部２１ａを通って、光源カバー５０の第２の透光部５２を透過した後、導光板８０の開口部８１を通ってカバー４０に入射する。カバー４０に入射した補助照明用発光素子３３の光は、カバー４０で拡散されながらカバー４０を透過する。
【０１１４】
［２．作用効果］
本実施の形態における照明器具１は、主照明用発光素子２２（第１の発光素子）が配置された光源基板２１と、補助照明用発光素子３３（第２の発光素子）、主照明用回路素子３２ａ（第１の回路素子）及び補助照明用回路素子３２ｂ（第２の回路素子）が配置された電源基板３１と、光源基板２１を支持する第１の支持部１１ａ及び電源基板３１を支持する第２の支持部１２ａを有する器具本体１０と、主照明用発光素子２２が発する光及び補助照明用発光素子３３が発する光を透過するカバー４０とを備えている。また、器具本体１０の第１の支持部１１ａには、第１の開口部１１ｂが形成されており、光源基板２１には、第２の開口部２１ａが形成されており、電源基板３１、光源基板２１及びカバー４０は、この順で配置されている。そして、電源基板３１を平面視した場合に、補助照明用回路素子３２ｂは、第１の開口部１１ｂ及び第２の開口部２１ａと重なる位置に配置されている。
【０１１５】
このように、本実施の形態における照明器具１では、補助照明用発光素子３３が電源基板３１に配置されているので、補助照明用発光素子３３への給電を電源基板３１から直接行うことができ、電源基板３１から補助照明用発光素子３３に給電するためのリード線を用いる必要がない。また、光源基板２１には補助照明用発光素子３３が配置されていないので、主照明用発光素子２２及び補助照明用発光素子３３を同一の光源基板２１に配置する場合と比べて、光源基板２１における配線レイアウトを簡略化できる。つまり、主照明用発光素子２２と補助照明用発光素子３３とでは電源回路が別であるので、補助照明用発光素子３３を電源基板３１に配置することで、配線を簡素化することができる。
【０１１６】
しかも、本実施の形態における照明器具１では、電源基板３１の平面視において補助照明用回路素子３２ｂが第１の開口部１１ｂ及び第２の開口部２１ａと重なる位置に配置されている。これにより、本実施の形態のように、補助照明用発光素子３３を、光源基板２１よりも天井２側に位置する電源基板３１に配置したとしても、補助照明用発光素子３３から出射する光を第１の開口部１１ｂ及び第２の開口部２１ａを介して取り出してカバー４０に入射させることができる。つまり、ユーザは、第１の開口部１１ｂ及び第２の開口部２１ａを介して補助照明用発光素子３３の発光状態を確実に視認することができる。
【０１１７】
このように、本実施の形態における照明器具１によれば、主照明用発光素子２２及び補助照明用発光素子３３を有していながらも、簡単な配線構造で主照明用発光素子２２及び補助照明用発光素子３３に給電して所望の発光を得ることができる。
【０１１８】
さらに、補助照明用発光素子３３を電源基板３１に配置することで、補助照明用発光素子３３を光源基板２１に配置する場合と比べて、補助照明用発光素子３３とカバー４０との距離を大きくすることもできる。これにより、補助照明用発光素子３３がＬＥＤ等のように指向性の強い点光源であったとしても、カバー４０による拡散効果を向上させることができ、ユーザにとって見やすい補助照明用発光素子３３の光を実現することができる。
【０１１９】
また、本実施の形態において、補助照明用発光素子３３は、常夜灯用の発光素子となっている。
【０１２０】
これにより、補助照明用発光素子３３として常夜灯用の発光素子を有する照明器具１を実現することができる。
【０１２１】
また、本実施の形態において、複数の光源基板２１が互いに隣接して配置されている。そして、光源基板２１を平面視した場合に、隣接する２つの光源基板２１の各々の第２の開口部２１ａは、いずれも第１の開口部１１ｂと重なる位置に形成されている。
【０１２２】
このように、隣接する２つの光源基板２１の第２の開口部２１ａを用いて１つの第１の開口部１１ｂに重ねる構成にすることで、第２の開口部２１ａを各光源基板２１の端部に形成することができる。これにより、主照明用発光素子２２を実装するための光源基板２１の実装領域（有効スペース）をあまり減らすことなく第２の開口部２１ａを形成することができる。
【０１２３】
また、本実施の形態において、照明器具１は、さらに、透光性を有する光源カバー５０を備えている。そして、光源カバー５０は、第１の主照明用発光素子２２ａとカバー４０との間に位置する第１の透光部５１と、補助照明用発光素子３３とカバー４０との間に位置する第２の透光部５２とを有する。
【０１２４】
このように、第１の主照明用発光素子２２ａの光を透過する第１の透光部５１と補助照明用発光素子３３の光を透過する第２の透光部５２とを有する光源カバー５０を備える場合であっても、信頼性が高く、成形性に優れた光源カバー５０を実現することができる。
【０１２５】
つまり、これまでは、補助照明用発光素子が主照明用発光素子のドーナツ状の実装領域から外れた位置に実装されていたため、補助照明用発光素子の光源カバーと主照明用発光素子の光源カバーとを一体にして作製すると、補助照明用発光素子の光源カバーは、主照明用発光素子のドーナツ状の光源カバーの一部から側方に突出するように凸状に形成される。このため、光源カバーの成形時に樹脂から発生したガスが抜けずにその凸状部分に溜まってしまって外観不良となる場合がある。この場合、例えば補助照明用発光素子の光源カバーにはガスで白濁した筋が生じてしまい、補助照明用発光素子の光の影となってしまうおそれがある。また、補助照明用発光素子の光源カバーが主照明用発光素子のドーナツ状の光源カバーの一部から突出するように形成されると、離型バランスが悪くなるため、樹脂成形後の離型時に割れが発生するということもある。
【０１２６】
これに対して、本実施の形態における光源カバー５０では、第１の主照明用発光素子２２ａのカバー部である第１の透光部５１も補助照明用発光素子３３のカバー部である第２の透光部５２もいずれも一定の幅のドーナツ状領域内に存在する。光源カバー５０の平面視形状は、内外周形状が略同心円のドーナツ状であり、光源カバー５０には上記のような余分な凸状部分が存在しない。これにより、凸状部分にガスが溜まったり、凸状部分によって離型時に割れが発生したりすることがなくなる。したがって、信頼性が高く、成形性に優れた光源カバー５０を実現することができる。また、余分な凸状部分をなくすことによって、材料を削減することもできる。
【０１２７】
また、本実施の形態において、照明器具１は、さらに、主照明用発光素子２２を発光させるための電力を電源基板３１から主照明用発光素子２２に供給するためのリード線２４を備えている。そして、リード線２４は、第１の開口部１１ｂ及び第２の開口部２１ａを通って、光源基板２１と電源基板３１とに接続されている。
【０１２８】
このように、第１の開口部１１ｂ及び第２の開口部２１ａを、補助照明用発光素子３３から出射する光を透過させる光の通過孔として用いるだけではなく、リード線２４を引き出すための導出孔としても用いている。これにより、リード線２４による電源基板３１と光源基板２１との電気的な接続を容易に行うことができる。したがって、配線構造をより一層簡便にすることができる。
【０１２９】
また、本実施の形態において、照明器具１は、さらに、電源基板３１に配置されたリモコン用受光素子３４を備えている。そして、電源基板３１を平面視した場合、リモコン用受光素子３４は、第１の開口部１１ｂ及び第２の開口部２１ａと重なる位置に配置されている。
【０１３０】
これにより、電源基板３１に直接リモコン用受光素子３４を配置したとしても、第１の開口部１１ｂ及び第２の開口部２１ａを介して、リモコンからの光信号を確実に受光することができる。
【０１３１】
また、本実施の形態において、器具本体１０は、第１の支持部１１ａを有する第１の器具本体１１と、第２の支持部１２ａを有する第２の器具本体１２とによって構成されている。
【０１３２】
これにより、第１の器具本体１１によって発光モジュール２０を支持するとともに、第２の器具本体１２によって電源ユニット３０を支持することができる。これにより、光源基板２１と電源基板３１とを離間させた状態で配置することができる。
【０１３３】
（変形例等）
以上、本発明について実施の形態に基づいて説明したが、本発明は、上記実施の形態に限定されるものではない。
【０１３４】
例えば、上記実施の形態では、照明器具１が取り付けられる造営材は天井２であるとしたが、これに限定されず、造営材は例えば建物の内部の壁等であってもよい。
【０１３５】
また、上記実施の形態では、照明器具１をシーリングライトとしたが、これに限定されない。例えば、照明器具１は、例えばシャンデリア、ペンダントライト、ブラケットライト、バスルームライト又はキッチンライト等であってもよい。
【０１３６】
また、上記実施の形態において、発光モジュール２０は、主照明用発光素子２２としてＳＭＤ型のＬＥＤ素子を用いたＳＭＤタイプのＬＥＤモジュールであったが、これに限らない。例えば、発光モジュール２０は、主照明用発光素子２２としてＬＥＤチップが用いられたＣＯＢ（Ｃｈｉｐ  Ｏｎ  Ｂｏａｒｄ）タイプのＬＥＤモジュールであってもよい。この場合、発光モジュール２０は、光源基板２１と、光源基板２１に直接実装された１つ又は複数のＬＥＤチップ（ベアチップ）と、ＬＥＤチップを封止する蛍光体含有樹脂等の封止部材とによって構成される。
【０１３７】
また、上記実施の形態では、光源基板２１を分割して複数の光源基板２１をリング状に並べることにより発光モジュール２０を構成したが、これに限定されない。具体的には、光源基板２１を分割することなく１つのリング状の光源基板２１で発光モジュール２０を構成してもよい。
【０１３８】
また、上記実施の形態では、主照明用発光素子２２及び補助照明用発光素子３３としてＬＥＤを例示したが、これに限定されず、例えば半導体レーザ等の半導体発光素子、有機ＥＬ（Ｅｌｅｃｔｒｏ  Ｌｕｍｉｎｅｓｃｅｎｃｅ）又は無機ＥＬ等、その他の固体発光素子を用いてもよい。
【０１３９】
その他、上記実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【０１４０】
１  照明器具
１０  器具本体
１１ａ  第１の支持部
１１ｂ  第１の開口部
１２ａ  第２の支持部
２１  光源基板
２１ａ  第２の開口部
２２ａ  第１の主照明用発光素子（第１の発光素子）
２４  リード線
３０  電源ユニット
３１  電源基板
３２ａ  主照明用回路素子（第１の回路素子）
３２ｂ  補助照明用回路素子（第２の回路素子）
３３  補助照明用発光素子（第２の発光素子）
３４  リモコン用受光素子
４０  カバー
５０  光源カバー
５１  第１の透光部
５２  第２の透光部
【図１】
0006695058.tif 000002
【図２】
0006695058.tif 000003
【図３】
0006695058.tif 000004
【図４】
0006695058.tif 000005
【図５】
0006695058.tif 000006
【図６】
0006695058.tif 000007
【図７】
0006695058.tif 000008
【図８】
0006695058.tif 000009
【図９】
0006695058.tif 000010
【図１０】
0006695058.tif 000011